(57)【特許請求の範囲】
【請求項１】
軸部にリング状の節部を所定間隔で一体に突設してなるコンクリート製の節杭において、前記軸部に、「B種又はC種に相当する破壊曲げモーメントを発揮できるようにプレストレスを導入したＰＣ鋼棒及び構造鉄筋その他の鋼棒」を埋設し、前記プレストレス量はA種の規格に対応した量としたことを特徴とする節付き杭。
【請求項２】
軸部の杭頭部にのみ構造鉄筋を埋設した請求項１記載の節付き杭。
【請求項３】
構造鉄筋を、軸部の上端からフーチングと連結できる長さ宛て突出させた請求項１又は２記載の節付き杭。
【請求項４】
軸部にリング状の節部を所定間隔で一体に突設してなる節杭用の型枠内に、B種又はC種に相当する破壊曲げモーメントを発揮できるように複数のＰＣ鋼棒と必要な構造鉄筋とを配置し、前記ＰＣ鋼棒を選択して、A種の規格に対応した量のストレスを導入し、前記ストレスの導入に前後してコンクリートを打設して固化させることを特徴とした節付き杭の製造方法。
【発明の詳細な説明】
【０００１】
【発明の属する技術分野】
この発明は、節付き杭及び節付き杭の製造方法に関する。
【０００２】
【従来の技術】
従来、中空丸杭の外周に環状リブを多数設けてなる節付き杭では、比較的小規模（通常２〜３階建ての建造物）や軟弱地盤での使用に見合った、口径３０〜４０cm程度、杭長さ６〜１０ｍ程度のものしか製造されていなかった。また、一般に節付き杭では垂直方向の支持力のみが考慮され、水平力に対する考慮がなされていなかった。
【０００３】
一方、高層建造物等では、プレストレスを導入したいわゆるＰＨＣ杭や、鉄筋コンクリート構造のいわゆるＰＲＣ杭が使用されていた。これらの杭は、垂直力のみならず水平力をも考慮された構造の杭であった。
【０００４】
従って、従来は、「節杭」と「ＰＨＣ杭又はＰＲＣ杭」とは、全く異なる取扱い（製造業者、使用対象の建造物など）をされていた。
【０００５】
【発明が解決しようとする課題】
ところが、近年、節付き杭では、外表面積の広い節付き杭の摩擦力に着目して、需要が多くなってきていた。また、杭穴掘削技術が進歩し、穴壁を整えて、精度も高い杭穴が掘削できるようになり、また高強度の杭周固定液も開発され、高い支持力を有する杭を支える埋設技術も高まっていた。即ち、既製杭を使用して、既製杭単独の耐力ではなく、杭穴内の構造物（既製杭、杭周固定液）一体で、所定の耐力を発揮できるような構造として認められてきた。この場合、既製杭の強度が問題となってくる。
【０００６】
これらの埋設技術を使用して、節付き杭を埋設する試みがされている。しかし、前記のように節付き杭では、大きな支持力を有する構造がなかった為、これらの埋設技術を応用することができない問題点があった。
【０００７】
また、この問題を解決し、節付き杭の終局強度を高める為に、プレストレスを導入して、ＰＨＣ杭類似の製造をするものも試みられている。
【０００８】
この場合、一般にプレストレス導入量によって、導入量の少ない方から順にＡ種、Ｂ種、Ｃ種に規格されており、求める耐力に応じた高いプレストレスを導入すると、型枠からの脱型が困難で、脱型時に節部を破壊する問題点があった。取り分け、実際の水平力に耐え得るＣ種の製造は困難であった。
【０００９】
また、節付き杭に水平耐力を高める工夫として、鋼管を巻いたいわゆるＳＣ杭とすることも考えられるが、高価であり、現実に実施することは困難であった。
【００１０】
【課題を解決するための手段】
然るにこの発明は、節付き杭にストレスを導入するＰＣ鋼棒に加えて、構造鉄筋やストレスを導入しない鋼棒を合わせて埋設したので、前記問題点を解決した。
【００１１】
即ちこの発明は、軸部にリング状の節部を所定間隔で一体に突設してなるコンクリート製の節杭において、前記軸部に、「B種又はC種に相当する破壊曲げモーメントを発揮できるようにプレストレスを導入したＰＣ鋼棒及び構造鉄筋その他の鋼棒」を埋設し、前記プレストレス量はA種の規格に対応した量としたことを特徴とする節付き杭である。また、前記において、軸部の杭頭部にのみ構造鉄筋を埋設した節付き杭である。また、前記において、構造鉄筋を、軸部の上端からフーチングと連結できる長さ宛て突出させた節付き杭である。
【００１２】
更に、この発明は、軸部にリング状の節部を所定間隔で一体に突設してなる節杭用の型枠内に、B種又はC種に相当する破壊曲げモーメントを発揮できるように複数のＰＣ鋼棒と必要な構造鉄筋とを配置し、前記ＰＣ鋼棒を選択して、A種の規格に対応した量のストレスを導入し、前記ストレスの導入に前後してコンクリートを打設して固化させることを特徴とした節付き杭の製造方法である。
【００１３】
前記における構造鉄筋とは、コンクリートに埋設され、鉄筋コンクリート構造としての構造計算時に考慮される軸筋で、通常は異形鉄筋が使用される。
【００１４】
また、前記におけるストレスを導入しない鋼棒とは、例えばＰＣ鋼棒として使用する鋼棒をストレスを導入せずに埋設したものを指す。
【００１５】
また、ＰＣ鋼棒と構造鉄筋とを埋設した場合、ＰＣ鋼棒へのストレスの導入はＰＣ鋼棒の全部又は一部のいずれとすることもできる。
【００１６】
また、前記におけるストレスの導入は、いわゆるプレテンション、ポストテンションのいずれでも可能である。
【００１７】
【実施の態様】
従来例として、軸部１の外径Ｄ１ （＝３００mm）、節部２、２を外径Ｄ２ （＝４５０mm）で、Ｌ１ （＝１ｍ）ごとに設けて、外形の節付き杭５を構成する。軸部１には、６本のＰＣ鋼棒３（図中黒丸）を全長に亘り環状に配置し、６本のＰＣ鋼棒にストレスを導入して、遠心成形で節付き杭を構成する（図１（ａ）（ｂ））。この場合、ストレス量をＡ種、Ｂ種、Ｃ種の各規格に対応した量とした場合の夫々の節付き杭５を製造する。これらの杭の短期許容曲げモーメント及び破壊曲げモーメントを測定する（表１）。
【００１８】
【表１】
0003959509.tif 000002
【００１９】
次にこの発明の節付き杭を、前記節付き杭５と同じ外径Ｄ１ 、節部の外径Ｄ２、節間隔Ｌ１ であって、軸部１に６本の異形鉄筋（構造鉄筋）６、６と６本のＰＣ鋼棒３、３とを交互に環状に全長に亘り配置して、ＰＣ鋼棒３に、Ａ種相当のストレスを導入して、節付き杭７を製造する（図１（ａ）（ｃ））。この場合、異形鉄筋６の外径を異なるものとした場合の夫々の短期許容曲げモーメント及び破壊曲げモーメントを測定する（表２）。
【００２０】
【表２】
0003959509.tif 000003
【００２１】
表１、２より、この発明の節付き杭７は、Ａ種のストレス導入量ながら、Ｄ−13を６本でＢ種相当、Ｄ−16でＣ種相当の破壊曲げモーメントを達成できた。
【００２２】
【作用】
節付き杭としたので、同一軸径の丸杭に比して、表面積を大きくできる。
【００２３】
プレストレスを導入したＰＣ鋼棒以外に構造鉄筋その他の鋼棒を埋設したので、埋設位置での軸部の曲げ強度及びせん断強度を高めることができる。
【００２４】
【実施例１】
図面に基づきこの発明の実施例を説明する。
【００２５】
節杭用の型枠内に、全長に亘り、ＰＣ鋼棒３、３を環状に配置すると共に、ＰＣ鋼棒３、３の間に異形鉄筋（構造鉄筋）６、６を環状に配置する。また、異形鉄筋６の外側に、高強度のスパイラル鉄筋を配置して、必要ならば異形鉄筋と結束する。
【００２６】
続いて、ＰＣ鋼棒３、３にストレスを導入しながらコンクリートを打設して、この発明の節付き杭７を構成する（図１（ｃ）、図２（ａ））。
【００２７】
この節付き杭７は、通常の杭と同様に杭穴内に埋設して使用する。また、この節付き杭は水平耐力を強化したので、ＰＨＣ杭の上端に連結して杭全体の地上付近に位置する部分に使用すれば、効果的である。
【００２８】
また、ストレス導入量をＡ種相当、Ｃ種相当の異なるものを別途製造し、ストレス量が多く水平耐力が大きなＣ種相当品を、Ａ種相当品の上端部に連結して使用することもできる。
【００２９】
前記実施例において、使用するＰＣ鋼棒３の数、ストレス導入量、異形鉄筋６の種類や量、等は、節付き杭７に求められる耐力により種々選択して実施する。同様に、節部２の外径、節部２の間隔も適宜選択して実施する。
【００３０】
また、前記実施例において、高強度のスパイラル鉄筋を使用したが、通常のスパイラル鉄筋を使用することもできる。
【００３１】
また、前記実施例において、異形鉄筋６を全長に亘り埋設したが、杭頭部８に当たる部分にのみ埋設することもできる（図２（ｂ））。
【００３２】
また、前記実施例において、異形鉄筋６を軸部１に埋設したが、軸部１の上端１ａから異形鉄筋６、６の上部を、突出させて突出部９、９を形成することもできる（図２（ｃ））。この場合、突出部９の長さＬは、上方に構築されるフーチング１０内に埋設してフーチング１０と一体の節付き杭とすることができる長さとするが、フーチング１０内での異形鉄筋６の定着等を考慮すれば、異形鉄筋６の外径Ｄ１ の３５倍以上が望ましい。更に、この場合、図２（ｂ）のような上部のみに埋設した異形鉄筋６の上端を突出させて、突出部９を係止することもできる（図示していない）。
【００３３】
また、前記実施例において、異形鉄筋６の全部又は一部に代えて、ストレスを導入しないＰＣ鋼棒４とすることもできる（図１（ｃ））。
【００３４】
【発明の効果】
節付き杭に構造鉄筋等を埋設したので、少量のプレストレス（Ａ種相当）であっても、高い水平耐力を有する節付き杭を製造することができる効果がある。従って、表面積が大きな節付き杭の用途を広げて、これを有効に活用できる効果がある。また、ストレス量を低く抑えて、製造できるので、型枠からの脱型時に節部の欠け等が生じるおそれがない。
【図面の簡単な説明】
【図１】（ａ）はこの発明の実施例及び比較従来例の節付き杭の正面図、（ｂ）は比較従来例の横断面図、（ｃ）は実施例の横断面図である。
【図２】（ａ）（ｂ）（ｃ）はこの実施例の節付き杭の概略した縦断面図である。
【符号の説明】
１ 軸部
１ａ 軸部の上端
２ 節部
３ ＰＣ鋼棒（ストレス有り）
５ 節付き杭（従来例）
６ 異形鉄筋（構造鉄筋）
７ 節付き杭
８ 杭頭部（杭）
９ 突出部（異形鉄筋）
１０ フーチング
【図１】
0003959509.tif 000004
【図２】
0003959509.tif 000005